(57)【特許請求の範囲】
【請求項１】
ハロゲン化リチウムブラインを備えた冷凍システムのある場所で前記ブライン中のモリブデン酸塩抑制剤の定量分析を行うための定量分析システムであって、
モリブデン酸塩抑制剤の濃度が未知であるハロゲン化リチウムブラインのサンプルと混合するための試薬手段を備えており、該試薬手段には、モリブデン酸塩抑制剤と反応して前記サンプルの固有色を発生し、前記固有色の強度がモリブデン酸塩抑制剤の濃度と相関するようなものが選択されており、さらに、
前記試薬手段とモリブデン酸塩との反応後、前記のハロゲン化リチウムブラインのサンプル中のモリブデン酸塩抑制剤の濃度を、前記サンプルの前記固有色の強度の関数として、光学的に測定するための光学測定手段を備えており、
前記ハロゲン化リチウムブラインにおけるハロゲン化物は、臭化物であり、
前記試薬手段は、ＨＣｌ（水溶液）にＳｎＣｌ2が含まれたものであり、前記試薬手段と混合した状態での前記サンプルの前記固有色は、５２０〜５８０ｎｍの領域の波長に対応することを特徴とする定量分析システム。
【請求項２】
さらに、前記のモリブデン酸塩抑制剤の濃度が未知であるＬｉＢｒブラインのサンプルを収容するための容器を備えており、該容器は、少なくとも前記固有色に対して、前記光学測定手段によるサンプルの光学的検査に適したものであることを特徴とする請求項１記載の定量分析システム。
【請求項３】
前記光学測定手段は、分光光度計であることを特徴とする請求項１記載の定量分析システム。
【請求項４】
前記分光光度計は、実質的に、５５０ｎｍ付近の波長領域にある光のみを感知することを特徴とする請求項３記載の定量分析システム。
【請求項５】
前記分光光度計は、手保持式の測色計であることを特徴とする請求項４記載の定量分析システム。
【請求項６】
前記固有色は、５５０ｎｍ付近の波長に対応しており、前記光学測定手段は、５５０ｎｍ付近でのみ動作可能な手保持式の測色計であることを特徴とする請求項１記載の定量分析システム。
【請求項７】
さらに、第１容器および第２容器を備えており、前記第１容器は、モリブデン酸塩抑制剤の濃度が未知である臭化リチウムブラインのサンプルを収容するものであり、前記第２容器は、前記分光光度計の「ゼロ点調整」に利用するための、モリブデン酸塩抑制剤が実質的に含まれていない臭化リチウムブラインの基準サンプルを収容するものであり、前記第１容器および前記第２容器は、それぞれ、少なくとも前記固有色に対して、前記分光光度計による収容したサンプルの光学的検査に適したものであることを特徴とする請求項４記載の定量分析システム。
【請求項８】
前記光学測定手段は、使用者が、前記サンプルの前記固有色と複数の基準色見本とを視覚的に比較するための比色計システムであることを特徴とする請求項１記載の定量分析システム。
【請求項９】
ハロゲン化リチウムブライン中に存在するモリブデン酸塩抑制剤の定量分析方法であって、
未知量のモリブデン酸塩抑制剤を含有するハロゲン化リチウムブラインのサンプルを採取し、
選択した試薬を前記サンプルに混合することによって、モリブデン酸塩抑制剤が存在する場合にサンプルの固有色を発生させるとともに、前記固有色の強度がモリブデン酸塩抑制剤の濃度に相関するような状態にし、
前記サンプルを分析して、前記固有色の存在および強度を測定し、さらに、
前記ハロゲン化リチウムブラインのサンプル中のモリブデン酸塩抑制剤の濃度を、固有色の存在および強度の関数として表示する、
ことを含み、
前記ハロゲン化リチウムブラインにおけるハロゲン化物は、臭化物であり、
前記選択された試薬は、ＨＣｌ（水溶液）にＳｎＣｌ2が含まれたものであり、前記選択された試薬と混合した状態での前記サンプルの前記固有色は、５２０〜５８０ｎｍの領域の波長に対応することを特徴とする定量分析方法。
【請求項１０】
前記サンプルの分析およびモリブデン酸塩抑制剤濃度の表示は、分光光度計を用いて行われ、さらに、前記分光光度計を較正するステップを有することを特徴とする請求項９記載の定量分析方法。
【請求項１１】
前記分光光度計を較正するステップでは、
前記選択された試薬を、既知量のモリブデン酸塩抑制剤を含有するハロゲン化リチウムブラインの基準サンプルに混合し、
前記基準サンプルを分析して前記固有色の強度を測定し、
前記基準サンプルの測定された固有色強度を、既知濃度のモリブデン酸塩抑制剤の基準値として規定し、さらに、
未知サンプルの前記ハロゲン化リチウムブライン中のモリブデン酸塩抑制剤濃度を、前記分光光度計により得られた値のほぼ線形関数として、測定することを特徴とする請求項１０記載の定量分析方法。
【請求項１２】
前記基準サンプルの前記ハロゲン化リチウムブライン中のモリブデン酸塩抑制剤の既知量は、０であることを特徴とする請求項１１記載の定量分析方法。
【請求項１３】
前記サンプルを分析するステップでは、ほぼ５５０ｎｍ付近の光波長領域で、前記サンプルの分光光度分析を行うことを特徴とする請求項９記載の定量分析方法。
【請求項１４】
モリブデン酸塩抑制剤を含有する前記サンプルの分光光度分析を行うステップは、手保持式の測色計を用いて行うことを特徴とする請求項１３記載の定量分析方法。
【請求項１５】
未知量のモリブデン酸塩抑制剤を含有するハロゲン化リチウムブラインのサンプルを採取するステップには、さらに、前記サンプルをフィルタに通すことによって浮遊粒子を除去するステップが含まれることを特徴とする請求項９記載の定量分析方法。
【請求項１６】
前記サンプルの分析およびモリブデン酸塩抑制剤濃度の表示は、比色計システムの使用者により行われ、該使用者は、前記サンプルの前記固有色および強度と、様々なモリブデン酸塩抑制剤濃度と相関するとともにこれらを表示している基準色と、を比較することによって、モリブデン酸塩抑制剤の濃度を測定することを特徴とする請求項９記載の定量分析方法。
【発明の詳細な説明】
【０００１】
【発明の属する技術分野】
本発明は、主に、吸収冷凍システムに関する。特に、本発明は吸収冷凍システムの診断に関する。また特に、本発明は、吸収冷凍システム内に存在する腐食抑制剤を診断するための方法および装置に関する。
【０００２】
【従来の技術】
吸収冷凍システムに利用される冷媒と吸収剤には、多数の異なる組み合わせが存在する。その組み合わせの１つは、水とリチウムのハロゲン化物塩（例えば、臭化リチウム、塩化リチウムもしくはヨウ化リチウム）とを混合させて、濃縮されたリチウム塩水溶液としたものである。他の組み合わせとしては、水とアンモニアがある。
【０００３】
鉄、鋼などの鉄合金、銅および銅合金は、吸収冷凍システムに利用される一般的な構成材料である。このような材料が腐食した場合、害が生じる恐れがある。金属が過度に消耗するだけでなく、鉄金属が酸化し、これに伴って水素ガスが発生する可能性がある。パージングを行わなければ、この水素によって、システムの適切な動作が損なわれる恐れがある。リチウムのハロゲン化物塩を使用するシステムでは、腐食が特に問題となる。特定のシステムに利用される冷媒／吸収剤の組み合わせに関わらず、システムの温度が上昇するに従って、金属の腐食速度は増大する。
【０００４】
従来技術では、クロム酸リチウムといったクロム酸塩を吸収冷凍システムの冷媒／吸収剤水溶液に添加することが、金属腐食を抑制するのに効果的であることが知られている。クロム化合物が存在することにより、吸収剤と接触するシステムの表面に、鉄と酸化クロムの保護層が形成される。鉄の酸化が抑制されることにより、これに対応した凝縮不可能な水素の発生も抑制される。しかし、クロムの存在による健康への害が幾らか懸念される。少なくとも１つの行政機関、米国環境保護庁が、クロムを発癌性物質とみなしており、大気に開放されているシステム内にクロム化合物を存在させることを禁止している。吸収冷凍システムは、当然、閉じたシステムであるが、サンプルの取り出し、組立工程、作業時および充填時の流出、によって、システムから一定量の作動流体が大気に放出される可能性がある。さらに、システムの耐用期間の終了時には、システム管理のために、含有されているクロム化合物を含む作動流体を廃棄することが必要となる。
【０００５】
上述した問題に対処するために、最近は、吸収冷凍システムの作動流体としての利用のために、クロムを含有しない水溶液（通常はリチウムのハロゲン化物塩）が開発されている。加えて、この水溶液には、さらに、モリブデン酸塩を含有する化合物と、ホウ酸塩を含有する化合物と、あるいは、さらに、ケイ酸塩を含有する化合物と、が含まれる。添加した成分は、効果的な腐食抑制剤として作用し、その流体の抑制機能は、クロム酸リチウム抑制剤よりも優れている。腐食抑制剤の改善されたシステムは、ダウニーに付与され、キャリアコーポレイション社に譲渡された米国特許第５，５４７，６６０号の「モリブデン酸塩抑制剤、ホウ酸塩抑制剤およびケイ酸塩抑制剤が混合された吸収冷凍システム作動流体」により詳細に記載されており、この特許は、このことについて開示している。さらに、腐食抑制剤の改善されたシステムは、キャリアコーポレイションにより製造販売されているＷＢ−１抑制ＬｉＢｒ吸収チラーに利用されている。
【０００６】
上述した、キャリアコーポレイション社のＷＢ−１抑制ＬｉＢｒ吸収チラーには、水とハロゲン化リチウム（特に臭化リチウムＬｉＢｒ）の水溶液が作動流体（「ブライン」と称される場合もある）として使用され、モリブデン酸リチウム（Lｉ2ＭｏＯ4）、ホウ酸リチウムおよびケイ酸リチウムが腐食抑制剤として利用される。ホウ酸リチウム抑制剤およびケイ酸リチウム抑制剤は、流体システムの耐用期間を通して、適切な量が作動流体の水溶液中に溶解した状態で維持される。これと同じことは、モリブデン酸塩抑制剤では得られない。モリブデン酸リチウムは、ＬｉＢｒブライン中に、ごく僅かしか溶解しないため、腐食抑制剤としての所望の作用を確実に得るためには、１００〜２００ｐｐｍの範囲内に維持する必要がある。しかし、冷凍システムに負荷が加えられるような起動時などには、モリブデン酸塩抑制剤は、好適な濃度範囲を下回るほど著しく消耗するため、システムに腐食の問題が起こり得るようになる。
【０００７】
モリブデン酸塩抑制剤の濃度が不十分であることに起因する腐食問題の害を最小とするためには、吸収冷凍システムがある場所でＬｉＢｒサンプルを採取し、続いて、これらのサンプルを他の場所に移して分析することが一般的である。その分析は、通常は、誘導結合プラズマ原子分光分析（ＩＣＰ−ＡＥＳ）といった、比較的高コストである非可搬型の技術および装置によって行われる。このようなプロセスでは、望ましくない遅れが生じる（日中測定する場合）とともに、経済的コストが非常に高くなる。比色計および分光計を含め、様々なタイプの現場分析装置および分析技術が、クロム酸塩抑制剤濃度を監視するために利用されているが、これらの技術は、現在のところ、モリブデン酸塩の濃度測定には適していない。同様に、冷凍システム内のモリブデン酸塩の濃度を測定するための現存の分析プロセスでは、作動流体が水であれば効果が得られるが、臭化リチウムといったハロゲン化リチウムのブラインがそれに含まれる場合には、効果が得られない。
【０００８】
従って、現場分析を容易とするような方法および装置を利用して、ハロゲン化リチウムブライン中のモリブデン酸塩抑制剤の濃度を測定することが必要である。このような現場分析を行うための方法および装置は、比較的運搬し易く、経済的であるとともに、モリブデン酸塩抑制剤の濃度を迅速かつ正確に測定することが可能なものでなければならない。
【０００９】
【発明が解決しようとする課題】
本発明は、ブラインを備えた冷凍システムがある場所で、ハロゲン化リチウムブライン中のモリブデン酸塩抑制剤の濃度を、迅速かつ正確に分析するための方法および装置を提供する。この分析は、比較的標準的な可搬型の装置を用いて、簡単な方法で行われる。
【００１０】
【課題を解決するための手段】
本発明により、ブラインを備えた冷凍システムのある場所で、臭化リチウムおよび／または塩化リチウムを含むハロゲン化リチウムのブライン中のモリブデン酸塩抑制剤を定量的に分析するための方法および装置が提供される。このシステムは、試薬手段と、比色分析に基づいてモリブデン酸塩濃度を測定する手段と、を備えている。この試薬手段は、モリブデン酸塩抑制剤の濃度が未知であるハロゲン化リチウムブラインのサンプルと混合されるものであり、モリブデン酸塩抑制剤の存在に起因してサンプルの固有色を発生するものが選択されており、この色の強度が、モリブデン酸塩抑制剤濃度と相関する。この試薬として、酸性化された還元剤もしくは別個の酸および還元剤を使用することが可能であり、ｐＨ調整および酸化還元反応により、安定した色変化が得られるものが選択される。サンプルの固有色の光波長を感知する分光光度計が、ブラインサンプル中にモリブデン酸塩抑制剤が存在することを示す手段として好適である。分光光度計は、さらに、この色の強度も感知して、サンプル中のモリブデン酸塩抑制剤の濃度を示す。代わりの実施例として、モリブデン酸塩濃度を測定する手段として、比色計を使用することも可能である。
【００１１】
ブラインとして臭化リチウムが利用されている代表的な冷凍システムにおいて、選択された試薬は、塩酸ＨＣｌ（水溶液）に塩化スズＳｎ（２価）Ｃｌ2が含まれたものであり、モリブデン酸塩抑制剤を含有するサンプルから生じる固有色は、５２０〜５８０ｎｍの範囲内の可視光の吸収により生じるものであり、より詳しくは、約５５０〜５６０ｎｍ付近で可視光を最大に吸収して、ピンク色となる。その分光光度計としては、約５５０ｎｍ付近でのみ動作する手保持式の測色計を用いることができる。
【００１２】
本発明のプロセスでは、モリブデン酸塩抑制剤が未知であるハロゲン化リチウムのブラインのサンプルを取り、選択した試薬をこのサンプルに混合させることによって固有色を発生させる。さらに、このサンプルを分析して固有色の存在および光強度を測定し、ブラインサンプル中のモリブデン酸塩抑制剤の濃度を、測定した固有色の存在および強度の関数として示す。
【００１３】
このサンプルの分析は、好ましくは、固有色の光波長に応答する可搬型の分光光度計もしくは測色計を用いて、分光光度測定により行われる。分光光度計は、モリブデン酸塩の濃度が既知（通常は０）であるブラインのサンプルを用いて現地で較正され、これによって基準点が規定される。臭化リチウムのブラインに対して、選択された試薬は、塩酸に塩化スズが含まれたものであり、発生する固有色は、５２０〜５８０ｎｍの範囲内の波長に対応しており、通常は、５５０〜５６０ｎｍで最大となるピンク色である。
【００１４】
【発明の実施の形態】
本発明では、特定の試薬は、ハロゲン化リチウムのブライン、特にモリブデン酸塩リチウム腐食抑制剤を含有する臭化リチウムと混合した状態で、特定の呈色反応を発生させる可能性があることを認識している。この呈色反応によって、モリブデン酸塩抑制剤の濃度が厳密に示される。このような認識は、吸収冷凍システム内のモリブデン酸塩濃度を現場で測定するための経済的な可搬型診断装置に拡張および適用される。
【００１５】
本発明によると、代表的な冷凍システム（図示せず）では、水とハロゲン化リチウム（通常は臭化リチウムＬｉＢｒ）の水溶液が、吸収チラー内の作動流体つまりブラインとして利用される。ＬｉＣｌを、そのリチウムのハロゲン化物として利用することが可能である場合もある。ブライン中のＬｉＢｒの濃度は、通常は、５０〜６０％の範囲内であり、本発明の実施例では、約５５％である。この冷凍システムでは、さらに、腐食抑制剤として、モリブデン酸リチウムＬｉ2ＭｏＯ4、ホウ酸リチウムおよびケイ酸リチウムの水溶液が利用される。モリブデン酸リチウムは、ＬｉＢｒブライン中に、ごく僅かにしか溶解しないため、腐食抑制剤としての所望の機能を確実に得るためには、１００〜２００ｐｐｍの範囲内に維持しなければならない。
【００１６】
冷凍システムのある場所で、迅速かつ正確かつ簡便な方法により、モリブデン酸リチウム抑制剤の濃度レベルを監視するために、このような測定のための手保持式の可搬型分析機器の使用を可能とするシステムおよび方法が開発されている。酸性化された還元剤である試薬は、濃度が未知のモリブデン酸塩抑制剤を含有するＬｉＢｒサンプルと混合して反応させた場合、その混合物中に固有色を発生することが発見されている。その固有色の存在および光強度により、モリブデン酸塩抑制剤の存在および濃度が示される。続いて、適した可搬型分光光度装置もしくは他の装置が、これに続いて定量測定を行うために使用される。その試薬には、固有色の光検出を妨げることなく固有色を発生させるものが選択される。
【００１７】
酸性化および還元反応が行われる１ステップでは、試薬として、塩酸ＨＣｌ（水溶液）に塩化スズＳｎＣｌ2が含まれたものを使用し、これによってモリブデンを還元し、ピンク色を発生させる。これは、可視スペクトル内の約５２０〜５８０ｎｍ（ナノメートル）の領域に対応する。より詳しくは、この特有の反応には、酸性状態下でのＭｏ（６価）（Ｌｉ2ＭｏＯ4）からＭｏ（３価）への還元が含まれると考えられている。形成された複合物は、［ＭｏＸ6］3-あるいは［ＭｏＸ5（Ｈ2Ｏ）］2-であり、ここでＸ＝Ｂｒ-またはＣｌ-であると考えられている。これらの複合物は、通常は、赤色、より正確にはピンク色の固有色を有し、これは可視スペクトルにおける５５０〜５６０ｎｍの領域に対応している。この反応は、室温で起こり、１０分以内に完了する。さらに、還元剤ＳｎＣｌ2またはＳｎＢｒ2が欠乏しなければ、発生した色は、室温で少なくとも４８時間一定に維持される。重要なことに、可溶性の銅は、使用されるブライン中の一般的な混入物であるが、約５００ｐｐｍまでの濃度では、悪影響を及ぼすことがない。使用されるブラインの銅濃度は、通常は、５００ｐｐｍ以下である。同様に、使用されるブライン中には、この特定の試薬の望ましい特性およびその試薬のモリブデンとの反応を妨害するような混入物は発見されていない。
【００１８】
図１を参照すると、その試薬により処理された、モリブデン酸リチウム抑制剤、ホウ酸リチウム抑制剤およびケイ酸リチウム抑制剤のＷＢ−１抑制剤複合物を含んでいるＬｉＢｒブラインの吸光度が示されている。特に、ほぼ５００〜６００ｎｍの領域におけるその還元されたモリブデン複合物の吸光度に注目すべきである。さらに、約５２０〜５８０ｎｍの領域では、吸光度が、モリブデン酸塩抑制剤の濃度と相関して著しく上昇していることが示されている。モリブデン酸塩の存在によって起こる吸光は、約５５０〜５６０ｎｍの領域で最大となり、ピンク色として特徴付けられる。
【００１９】
図１において約５００〜６００ｎｍのスペクトル領域を参照すると、ＨＣｌ（水溶液）中にＳｎＣｌ2が含まれたものと反応するモリブデン酸リチウム抑制剤を様々な濃度で含んでいるＬｉＢｒブラインの吸光度が示されている。モリブデン酸塩の濃度は、この領域にあるいくつかのスペクトル走査に示されているように、０〜２００ｐｐｍの範囲に亘る。５２０〜５８０ｎｍの領域、特に約５５０〜５６０ｎｍの最大領域における吸収度の特徴的な上昇によって、濃度が比較的小さい場合でも、モリブデンの存在を容易に認識することができる。さらに重要なことは、モリブデン酸塩濃度と、関連する波長領域における光吸収特性と、の間に、ほぼ線形の関係があることである。図１には、モリブデン酸塩の濃度が０，２５，５０，１００，１５０および２００ｐｐｍの場合の吸光度が示されており、これには、ＬｉＢｒブラインに溶解しているモリブデン酸塩に関連する濃度範囲が含まれている。
【００２０】
図２を参照すると、約５５０ｎｍにおける反応したモリブデン酸塩の吸光特性が、５５％のＬｉＢｒブライン中のモリブデン酸塩濃度の関数としてグラフにより示されている。このグラフでは、ほぼ線形の関係が強調して示されており、これによって、吸光光度分析の利用が容易となり、特に、５５０〜５６０ｎｍの波長領域内もしくはこの領域付近での使用に適合された分光計もしくは測色計を使用することが容易となる。さらに、この関係の傾きつまり感度は、測定機器によって適切に識別するのに十分な大きさである。図２の吸光特性は、５５０ｎｍに対して示されており、これは、簡便な、商業的に入手可能なシステムで得ることができる。しかし、最大感度は５６０ｎｍ近くで得られるため、より大きな感度が必要な場合は、より大きな傾きをこの波長で得ることも可能である。
【００２１】
図３を参照すると、本発明の分析測定を行うことが可能な分光光度装置が、ブロック図として示されている。この分光光度装置は、通常は、分光光度計もしくは測色計１０であり、光源１２、分散素子もしくはフィルタ１４、サンプルホルダつまりセル１６、光検出器および増幅器といった検出器１８、読出しシステム２０、を備えている。サンプル１６は、破線１６’で示されているように、別個に用意された後に分光光度計１０に挿入されることも可能である。
【００２２】
本発明によると、分光光度計１０は、可搬型であり、現場での使用時に手で保持できるものであることが好ましく、通常はそのようなものが利用される。コロラド州ラヴランドのＨＡＣＨ社により製造販売されているＨＡＣＨジェネリックポケットポータブルカラーメータ（ＨＡＣＨ  Ｇｅｎｅｒｉｃ  Ｐｏｃｋｅｔ  Ｐｏｒｔａｂｌｅ  Ｃｏｌｏｒｉｍｅｔｅｒ）は、比較的小型であるとともに可搬型であるため、吸収冷凍システム内のモリブデン酸塩の濃度の現場分析に、容易に利用することができる。さらに、ＨＡＣＨカラーメータ１０は、このような装置に必要な正確性および経済性を有する。測色計１０は、関心のある光領域（この例では約５５０〜５６０ｎｍの波長）でのみ感知するものが選択されている。本発明で使用されている測色計１０は、５５０ｎｍの波長で応答する。
【００２３】
本発明で行われる分析工程は、ＨＡＣＨポータブルカラーメータ１０を用いて、以下の手順に従って実行される。測色計１０は、ＷＢ−１腐食抑制剤（モリブデン酸リチウム、ホウ酸リチウムおよびケイ酸リチウム）を含有する５０〜６０％ＬｉＢｒ中のモリブデン酸塩の濃度測定のために予め較正される。この較正では、図２に示された関係の傾きが取り込まれる。モリブデン酸塩抑制剤と反応する試薬は、６Ｎ（規定度）のＨＣｌ（水溶液）中に０．３Ｍ（ｍｏｌ／ｌ）のＳｎＣｌ2が含まれたものである。さらに、（腐食抑制剤を含有しない）非抑制ＬｉＢｒブライン（５０％以上）が、参照用サンプル（ブランク）として使用される。較正手順には以下のステップが含まれる。
・５ｍＬもしくは１０ｍＬのシリンジを用いて、１０ｍＬの非抑制ＬｉＢｒブラインを測り、サンプルボトル（セル）に入れる。この溶液を「ブランク」とする。
・１．０μｍのフィルタが取り付けられた５ｍＬもしくは１０ｍＬのシリンジを用いて、モリブデン濃度が「未知」である１０ｍＬの各サンプル水溶液を別のセルに備える。このフィルタによって微粒子が除去され、清浄な溶液が得られるようになっている。
・１ｍＬのモリブデン試薬を、ブランクおよび未知のサンプル溶液に加える。
・各セルに蓋を堅くかぶせて混合させる。
・１０分間そのままの状態にして、色を完全に発生させる。
・ブランク水溶液（非抑制ＬｉＢｒ）を備えたセルを、ダイアモンドマークがキーボードに面するようにＨＡＣＨカラーメータのサンプルセルコンパートメントに挿入し、
・装置の蓋によってセルを覆う。キャップの湾曲した面をキーボードに向かわせ、装置ケースの溝を合致させる。
・ＺＥＲＯキーを押して装置のゼロ点調整を行う。
・未知サンプルセルを挿入し、セルコンパートメントを覆い、ＲＥＡＤキーを押して、各未知サンプルのＬｉ2ＭｏＯ4濃度を測定する。
・装置の読出しシステムに表示された数値に１００をかけることによって、ＬＩ2ＭｏＯ4濃度（ＰＰＭ）を得る。
【００２４】
この方法を利用して測定されたＬｉ2ＭｏＯ4濃度は、５５％ＬｉＢｒに規準化されていない。
【００２５】
上述した装置および方法を、より一般的な標準的ＩＣＰプロセスと比較した試験によれば、本発明の技術の正確性および再現性を示す結果が得られる。これらの２つの技術の差は、チラーブライン中のモリブデン酸塩抑制剤の濃度を監視することによって濃度を１００〜２００ｐｐｍの範囲内に確実に維持するためには、許容し得る範囲内にある。
【００２６】
好適な実施例では、サンプル中のモリブデン酸塩の濃度を測定するために測色計１０を利用することによって、比色定量を行う装置の正確性、客観的妥当性および再現性が得られるようになっている。しかし、他の手段によって、反応したサンプルの固有色の強度に基づいてモリブデン酸塩濃度を測定することも可能である。例えば、現場分析のために利用することができる他の技術では、比色計システムが利用されており、この比色計システムでは、反応したサンプル中の各モリブデン酸塩濃度と相関する基準色見本の配列もしくは表が、ユーザーに提供される。反応したサンプルの色を基準色見本と視覚的に比較することによって、ユーザーは、最も近い色およびモリブデン酸塩濃度との対応値を決定することが可能となる。このような技術は、高価ではないが、一般的に、測色計よりも客観性および正確性に欠ける。
【図面の簡単な説明】
【図１】試薬により処理された、臭化リチウムブラインの吸光スペクトルのスペクトルプロットであり、モリブデン酸塩抑制剤が様々な濃度で含まれている場合が示されている。
【図２】臭化リチウムブライン中に、様々な濃度でモリブデン酸リチウムが含まれている場合の、５５０ｎｍでのスペクトル吸光度を示すグラフである。
【図３】本発明の分析システムおよび分析工程に利用される分光光度計の概略ブロック図。
【符号の説明】
１０…分光光度計または測色計
１２…光源
１４…分散素子またはフィルタ
１６…サンプル
１８…光検出器
２０…読出しシステム
【図１】
0003645153.tif 000002
【図２】
0003645153.tif 000003
【図３】
0003645153.tif 000004